(57)【要約】【課題】設備または機器の設置位置を把握する時間を短縮させる端末、情報表示方法、及びプログラムを提供する。【解決手段】端末２は、記憶部２０２と、一次元方向に移動可能なカーソル１９１４を有するスライダ表示部１９１３及び図面情報を表示する閲覧画像表示部１９０９を含む機器情報表示画面１９０１を表示する表示部２０８と、カーソル１９１４の位置に応じて複数の図面情報を切替えて表示させる制御部２０１と、を備える。制御部２０１は、複数の図面情報を取得し、取得した各図面情報及びスライダ情報１３０２を対応付けて記憶させ、カーソル１９４の位置に対応する図面情報を表示させ、表示させた図面情報に対応付けたカーソル１９１４の位置範囲内において、カーソル１９１４の位置に応じて図面情報の表示を拡大又は縮小する。【選択図】図２
2014167794.tif 000002
【特許請求の範囲】
【請求項１】
情報を記憶可能な記憶部と、
一次元方向に所定範囲を移動可能なカーソルを有するスライダ表示部と、所定の図面情報を表示する閲覧画像表示部と、を含む機器情報表示画面を表示する表示部と、
前記スライダ表示部における前記カーソルの位置に応じて複数の図面情報を切替えて前記閲覧画像表示部に表示させる制御部と、を備え、
前記制御部は、
階層構造を有する複数の図面情報を取得し、
取得した前記各図面情報と、前記スライダ表示部における前記カーソルの位置範囲を示すスライダ情報と、を対応付けて前記記憶部に記憶させ、
前記スライダ表示部における前記カーソルの位置に対応する前記図面情報を前記表示部に表示させ、
表示させた前記図面情報に対応付けたスライダ情報が示すカーソルの位置範囲内において、前記カーソルの位置に応じて前記図面情報の表示を拡大又は縮小する、端末。
【請求項２】
請求項１に記載の端末であって、
前記表示部に表示させる図面情報を該図面情報の上位階層の図面情報に切替える前記カーソルの移動方向と、取得した前記各図面情報の表示を縮小する前記カーソルの移動方向と、が一致する、端末。
【請求項３】
一次元方向に所定範囲を移動可能なカーソルを有するスライダ表示部と、前記図面情報を表示するための閲覧画像表示部と、を含む機器情報表示画面を表示するステップと、
階層構造を有する複数の図面情報を取得するステップと、
取得した前記各図面情報と、前記スライダ表示部における前記カーソルの位置範囲を示すスライダ情報と、を対応付けて記憶するステップと、
前記スライダ表示部における前記カーソルの位置に対応する前記図面情報を表示するステップと、
表示した前記図面情報に対応付けたスライダ情報が示すカーソルの位置範囲内において、前記カーソルの位置に応じて前記図面情報の表示を拡大又は縮小するステップと、
を含む情報表示方法。
【請求項４】
端末として機能するコンピュータに、
一次元方向に所定範囲を移動可能なカーソルを有するスライダ表示部と、前記図面情報を表示するための閲覧画像表示部と、を含む機器情報表示画面を表示するステップと、
階層構造を有する複数の図面情報を取得するステップと、
取得した前記各図面情報と、前記スライダ表示部における前記カーソルの位置範囲を示すスライダ情報と、を対応付けて記憶するステップと、
前記スライダ表示部における前記カーソルの位置に対応する前記図面情報を表示するステップと、
表示した前記図面情報に対応付けたスライダ情報が示すカーソルの位置範囲内において、前記カーソルの位置に応じて前記図面情報の表示を拡大又は縮小するステップと、
を実行させるプログラム。
【発明の詳細な説明】
【技術分野】
【０００１】
本発明は、設備および機器に関連する情報を表示する端末、情報表示方法、及びプログラムに関する。
【背景技術】
【０００２】
従来、設備やその設備に設置される機器が設置された場所に関連する図面情報は、設備または機器に関連付けられてデータベースなどにより管理されている。しかし、設備または機器に図面情報を関連付けてグループとして管理している場合、設備または機器に対して各種業務を行う作業者は、図面情報を見直して設備または機器が設置されている場所を特定しなければならないため、設備または機器の設置位置を把握するために時間を要する。そこで、設備および機器の設置位置を短時間で把握することができるように、作業者に提示する技術が求められている。
【０００３】
例えば、特許文献１と特許文献２などが開示されている。
【先行技術文献】
【特許文献】
【０００４】
【特許文献１】特開平１１−２４９７３１号公報
【特許文献２】特開２００２−０３２１６７号公報
【発明の概要】
【発明が解決しようとする課題】
【０００５】
本発明は、設備または機器が設置されている場所に関連する図面情報を予め登録し、登録した図面情報を階層表示することにより、設備または機器の設置位置を把握する時間を短縮させる端末、情報表示方法、及びプログラムを提供することを目的とする。
【課題を解決するための手段】
【０００６】
上記課題を解決するために本発明に係る端末は、
情報を記憶可能な記憶部と、
一次元方向に所定範囲を移動可能なカーソルを有するスライダ表示部と、所定の図面情報を表示する閲覧画像表示部と、を含む機器情報表示画面を表示する表示部と、
前記スライダ表示部における前記カーソルの位置に応じて複数の図面情報を切替えて前記閲覧画像表示部に表示させる制御部と、を備え、
前記制御部は、
階層構造を有する複数の図面情報を取得し、
取得した前記各図面情報と、前記スライダ表示部における前記カーソルの位置範囲を示すスライダ情報と、を対応付けて前記記憶部に記憶させ、
前記スライダ表示部における前記カーソルの位置に対応する前記図面情報を前記表示部に表示させ、
表示させた前記図面情報に対応付けたスライダ情報が示すカーソルの位置範囲内において、前記カーソルの位置に応じて前記図面情報の表示を拡大又は縮小する、
ことを特徴とする。
【０００７】
また、本発明に係る端末において、
前記表示部に表示させる図面情報を該図面情報の上位階層の図面情報に切替える前記カーソルの移動方向と、取得した前記各図面情報の表示を縮小する前記カーソルの移動方向と、が一致することが好ましい。
【０００８】
また、本発明に係る情報表示方法は、
一次元方向に所定範囲を移動可能なカーソルを有するスライダ表示部と、前記図面情報を表示するための閲覧画像表示部と、を含む機器情報表示画面を表示するステップと、
階層構造を有する複数の図面情報を取得するステップと、
取得した前記各図面情報と、前記スライダ表示部における前記カーソルの位置範囲を示すスライダ情報と、を対応付けて記憶するステップと、
前記スライダ表示部における前記カーソルの位置に対応する前記図面情報を表示するステップと、
表示した前記図面情報に対応付けたスライダ情報が示すカーソルの位置範囲内において、前記カーソルの位置に応じて前記図面情報の表示を拡大又は縮小するステップと、
を含むことを特徴とする。
【０００９】
また、本発明に係るプログラムは、
端末として機能するコンピュータに、
一次元方向に所定範囲を移動可能なカーソルを有するスライダ表示部と、前記図面情報を表示するための閲覧画像表示部と、を含む機器情報表示画面を表示するステップと、
階層構造を有する複数の図面情報を取得するステップと、
取得した前記各図面情報と、前記スライダ表示部における前記カーソルの位置範囲を示すスライダ情報と、を対応付けて記憶するステップと、
前記スライダ表示部における前記カーソルの位置に対応する前記図面情報を表示するステップと、
表示した前記図面情報に対応付けたスライダ情報が示すカーソルの位置範囲内において、前記カーソルの位置に応じて前記図面情報の表示を拡大又は縮小するステップと、
を実行させることを特徴とする。
【発明の効果】
【００１０】
本実施形態によれば、設備または機器が設置されている場所に関連する図面情報を予め登録し、登録した図面情報を階層表示することにより、設備または機器の状態を把握する時間を短縮することができるため、業務の作業効率を向上できるという効果を奏する。
【図面の簡単な説明】
【００１１】
【図１】図１は、実施形態１のシステムの一実施例を示す図である。
【図２】図２は、情報処理装置および端末のハードウェアの一実施例を示す図である。
【図３】図３は、端末の入出力インタフェースと入出力部の一実施例を示す図である。
【図４】図４は、情報処理装置の一実施例を示す図である。
【図５】図５は、第１の画面を表示させる動作の一実施例を示すフロー図である。
【図６】図６は、第１の画面の一実施例を示す図である。
【図７】図７は、第１の画面を表示させるデータの関係を示す図である。
【図８】図８は、第１の登録画面を表示させる動作の一実施例を示すフロー図である。
【図９】図９は、第１の登録画面の一実施例を示す図である。
【図１０】図１０は、第１の登録画面を表示させるデータの関係を示す図である。
【図１１】図１１は、階層登録処理の動作の一実施例を示すフロー図である。
【図１２】図１２は、設備および機器の階層を説明するための図である。
【図１３】図１３は、階層数情報とスライダ情報のデータ構造の一実施例を示す図である。
【図１４】図１４は、第２の登録画面を表示させる動作の一実施例を示すフロー図である。
【図１５】図１５は、第２の登録画面を表示させる動作の一実施例を示すフロー図である。
【図１６】図１６は、機器情報表示画面の一実施例を示す図である。
【図１７】図１７は、第２の登録画面を表示させるデータの関係を示す図である。
【図１８】図１８は、機器情報表示画面を表示させる動作の一実施例を示すフロー図である。
【図１９】図１９は、機器情報表示画面の一実施例を示す図である。
【図２０】図２０は、機器情報表示画面を表示させるデータの関係を示す図である。
【図２１】図２１は、閲覧表示部を表示させる動作の一実施例を示すフロー図である。
【図２２】図２２は、スライダのカーソル位置と図面との関係を示す図である。
【図２３】図２３は、スライダのカーソル位置と図面との関係を示す図である。
【図２４】図２４は、プラントフロー表示を示す図である。
【図２５】図２５は、タイムスライダの一実施例を示す図である。
【発明を実施するための形態】
【００１２】
以下図面に基づいて、実施形態について詳細を説明する。
【００１３】
システムについて説明する。図１は、実施形態１のシステムの一実施例を示す図である。図１に示すシステムは、例えば、水道設備、下水道設備、環境設備それぞれを管理するシステムまたは水道設備、下水道設備、環境設備を総合管理するシステムなどが考えられる。
【００１４】
水道設備は、例えば、浄水場の濾過設備、濾過の過程で発生した汚泥の処理設備などの各種機械設備、ならびにプラントを運転するための受変電設備、計装設備、監視制御設備などの各種電気設備などである。下水道設備は、例えば、水処理用散気装置、汚泥脱水機、汚泥焼却炉、下水汚泥のガス化・燃料化システムに加え高速雨水処理システムなどの各種機械設備、ならびに、プラントを運転するための受変電設備、計装設備、監視制御設備などの各種電気設備などである。環境設備は、例えば、都市ゴミのリサイクル、資源化などの都市環境に不可欠なゴミ処理プラント、ガス化溶融炉やリサイクルプラザ、ゴミ炭化プラント、バイオマス発電システム、廃棄プラスチック破袋選別装置などである。
【００１５】
ただし、本システムは水道設備、下水道設備、環境設備を管理するシステムに限定されるものではなく、他の各種プラントを管理するシステムでもよい。図１の情報処理装置１は、例えば、クラウドコンピューティングを提供する側のデータセンタに設けられている情報処理装置（１つ以上のサーバコンピュータから構成される装置）が考えられる。端末２ａ〜２ｎは、例えば、携帯情報端末（携帯電話機、Personal Handy-phone System（ＰＨＳ）、スマートフォン、タブレットパーソナルコンピュータなど）、据え置き型の情報端末などが考えられる。ネットワーク３は、例えば、有線または無線を用いた通信に利用される回線などが考えられる。
【００１６】
情報処理装置と端末について説明をする。図２は、情報処理装置および端末のハードウェアの一実施例を示す図である。図２に示す情報処理装置１および端末２ａ〜２ｎのそれぞれのハードウェアは、制御部２０１、記憶部２０２、記録媒体読取装置２０３、入出力インタフェース２０４、通信部２０５などを備えている。また、各構成部はバス２０６によりそれぞれ接続されている。なお、本例では情報処理装置１について、１つのコンピュータのハードウェアについて説明をする。また、端末２ａ〜２ｎのうちのいずれか１つの端末（以降、端末２と呼ぶ）のハードウェアについて説明をする。
【００１７】
制御部２０１はCentral Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられる。
【００１８】
記憶部２０２は、例えばRead Only Memory（ＲＯＭ）、Random Access Memory（ＲＡＭ）などのメモリやハードディスクなどが考えられる。なお、記憶部２０２にはパラメータ値、変数値などのデータを記録してもよいし、実行時のワークエリアとして用いてもよい。なお、情報処理装置１の記憶部２０２は外部に設けたデータベースなどの記憶装置でもよい。
【００１９】
記録媒体読取装置２０３は、制御部２０１の制御に従って記録媒体２０７に対するデータのリード／ライトを制御する。そして、記録媒体２０７に記録媒体読取装置２０３の制御で書き込まれたデータを記録させたり、記録媒体２０７に記録されたデータを読み取らせたりする。また、着脱可能な記録媒体２０７は、コンピュータで読み取り可能なnon-transitory（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc（ＤＶＤ）、ＤＶＤ−ＲＡＭ、Compact DiscRead Only Memory（ＣＤ−ＲＯＭ）、ＣＤ−Ｒ(Recordable)／ＲＷ（ReWritable）などがある。光磁気記録媒体には、Magneto-Optical disk（ＭＯ）などがある。なお、記憶部２０２もnon-transitory（非一時的）な記録媒体に含まれる。
【００２０】
入出力インタフェース２０４には、入出力部２０８が接続され、入出力部２０８の入力装置から入力された情報を受信し、バス２０６を介して制御部２０１に送信する。また、制御部２０１から送信されたデータに従って入出力部２０８の出力装置（表示部）の画面に表示をする。
【００２１】
通信部２０５はネットワーク３に接続され、通信を行う。
【００２２】
端末２への情報の入出力について説明をする。図３は、端末２の入出力インタフェースと入出力部の一実施例を示す図である。端末２の入出力インタフェース２０４は、タッチパネル制御Integrated Circuit（ＩＣ）３０１、タッチパネル３０２、表示制御ＩＣ３０３などを有している。タッチパネル制御ＩＣ３０１は、タッチパネル３０２から入力された情報を制御部２０１に送信する。例えば、タッチパネル専用ＩＣなどが考えられる。表示制御ＩＣ３０３は、制御部２０１から送信されたデータに従って表示パネル３０４に情報を表示する。例えば、表示パネル専用ＩＣなどが考えられる。
【００２３】
端末２の入出力部２０８は、タッチパネル３０２、表示パネル３０４、マイク３０５、スピーカ３０６、カメラ３０７、センサ３０８などを有することが考えられる。表示パネル３０４は、例えば、液晶ディスプレイ、有機electroluminescence（ＥＬ）ディスプレイなどが考えられる。
【００２４】
図２、図３で説明したハードウェア構成を有する情報処理装置１および端末２のコンピュータを用いることにより、後述する情報処理装置１および端末２の各種処理機能が実現される。その場合情報処理装置１および端末２が有すべき機能の処理内容を記述したプログラムが提供される。そのプログラムをコンピュータで実行することにより、後述する処理がコンピュータ上で実現される。処理内容を記述したプログラムは、コンピュータで読み取り可能な記録媒体２０７に記録しておくことができる。
【００２５】
プログラムを流通させる場合には、例えば、そのプログラムが記録されたＤＶＤ、ＣＤ−ＲＯＭなどの記録媒体２０７が販売される。また、プログラムをサーバコンピュータの記憶装置に記録しておき、ネットワーク３を介して、他のコンピュータにそのプログラムを転送することもできる。
【００２６】
プログラムを実行するコンピュータは、例えば、記録媒体２０７に記録されたプログラムもしくはコンピュータから転送されたプログラムを、自己の記憶部２０２に記憶する。そして、コンピュータは、自己の記憶部２０２からプログラムを読み取り、プログラムに従った処理を実行する。なお、コンピュータは、記録媒体２０７から直接プログラムを読み取り、そのプログラムに従った処理を実行することもできる。また、コンピュータは、プログラムが転送されるごとに、逐次、受け取ったプログラムに従った処理を実行することもできる。
【００２７】
図４は、情報処理装置の一実施例を示す図である。管理部４０１は、機器管理部４０２と認証部４０３を有する。機器管理部４０２は、機器識別情報管理部４０４、機器識別情報記憶部４０５、アクセス制御部４０６を有し、設備および機器を管理する。機器識別情報管理部４０４は、機器識別情報記憶部４０５に記憶されている設備および機器を識別するための機器識別情報を管理する。アクセス制御部４０６は、外部（端末２）からシステム（情報処理装置１）へのアクセスを制御する。また、外部（端末２）からシステム（情報処理装置１）への情報の書き込み許可などを制御する。なお、機器管理部４０２、アクセス制御部４０６をサーバとし、機器識別情報記憶部４０５をデータベースとしてもよい。
【００２８】
認証部４０３は、端末認証部４０７、利用者認証部４０８を有する。認証部４０３は、利用者と端末２の認証を行う。
【００２９】
端末認証部４０７は、端末２から送信された端末認証情報を受信し、予め記憶されている端末認証情報と一致するか否かを判定して認証を行う。その後、端末認証部４０７は端末２に認証されたことを通知する。
【００３０】
利用者認証部４０８は、端末２から送信された利用者認証情報を受信し、予め記憶されている利用者認証情報と一致するか否かを判定して認証を行う。その後、利用者認証部４０８は端末２に認証されたことを通知する。
【００３１】
なお、端末認証部４０７、利用者認証部４０８をサーバとしてもよい。
【００３２】
コンテンツ部４０９は、統合ツール４１０、業務ツール４１１、識別ツール４１２、帳票作成ツール４１３、機器情報ツール４１４、電子書庫ツール４１５、監視ツール４１６などを有する。コンテンツ部４０９には、端末２からの指示により起動するプログラムと関連するデータなどが記憶されている。
【００３３】
統合ツール４１０は、業務ツール４１１、識別ツール４１２、帳票作成ツール４１３、機器情報ツール４１４、電子書庫ツール４１５、監視ツール４１６などを統合するプログラム（パッケージコンテンツなど）である。
【００３４】
業務ツール４１１は、例えば、監視、修繕、点検および保守などに関する業務に用いられるプログラムである。
【００３５】
識別ツール４１２は、例えば、設備および機器に割り当てられた機器識別情報を含むタグを、カメラ３０７で撮影して画像処理を行い、画像処理を行った結果を用いて、設備および機器に割り当てられた機器識別情報を取得または登録するプログラムである。機器識別情報は、例えば所定桁数の整数などの番号である。タグは、例えば、Augmented Reality（ＡＲ）タグなどを用いることが考えられる。ただし、ＡＲタグに限定されるものではない。
【００３６】
帳票作成ツール４１３は、監視、修繕、点検および保守などに関する業務に用いられる帳票類を作成し、ストレージ部４１７に記憶させるプログラムである。例えば、点検報告書、修繕報告書、障害報告書などを、作業者が作成する際に用いられる。
【００３７】
機器情報ツール４１４は、後述する登録部４２１を用いて、設備および機器に関連する後述する機器関連情報、階層情報、モノ情報、コト情報を、端末２を用いて利用者に提示するプログラムである。
【００３８】
電子書庫ツール４１５は、過去に収められた設備および機器に関連する後述するストレージ部４１７に記憶されている仕様書、部品表、組立図、検査仕様書、過去の台帳などの書類および図面などを電子化したデータ（登録情報）、電子データで登録されている書類および図面などのデータ（登録情報）、過去に作成された監視、修繕、点検および保守などの報告書などを電子化したデータ（登録情報）、電子データで登録されている報告書などのデータ（登録情報）を、端末２で閲覧できるようにするためのプログラムである。
【００３９】
監視ツール４１６は、設備または機器の監視をするプログラムで、設備および機器を監視する装置や計測などを行う設備または機器などから計測したデータを、端末２を用いて利用者に提示する。
【００４０】
なお、コンテンツ部４０９をサーバとし、機器識別情報記憶部４０５をデータベースとしてもよい。
【００４１】
ストレージ部４１７は、メディア情報記憶部４１８、図書情報記憶部４１９、報告書記憶部４２０などを有している。
【００４２】
メディア情報記憶部４１８は、画像データ、動画データ、音声データなどを記憶している。例えば、監視、修繕、点検および保守などにおいて取得した画像データ、動画データ、音声データなどを記憶することが考えられる。
【００４３】
図書情報記憶部４１９は、設備および機器に関連する仕様書、部品表、組立図、検査仕様書、過去の台帳などの書類および図面などを電子化したデータ（登録情報）や電子データで登録されている書類および図面などのデータ（登録情報）が記憶されている。
【００４４】
報告書記憶部４２０は、帳票作成ツール４１３を用いて過去に作成された監視、修繕、点検および保守などの報告書などを電子化したデータ（登録情報）や電子データで登録されている報告書などのデータ（登録情報）が記憶されている。
【００４５】
登録部４２１は、機器情報登録部４２２、機器関連情報記憶部４２３、階層情報記憶部４２４、モノ情報記憶部４２５、コト情報記憶部４２６などを有する。
【００４６】
登録部４２１の機器情報登録部４２２は、設備または機器に関する情報を取得して、対応する機器関連情報記憶部４２３、階層情報記憶部４２４、モノ情報記憶部４２５、コト情報記憶部４２６に記憶する。
【００４７】
機器関連情報記憶部４２３には、設備または機器と、それらの設備または機器に関係する他の設備または機器と、を関連付けるための情報が記憶されている。例えば、ポンプ機場の場合にはポンプとポンプの周辺機器の情報と、ポンプと周辺機器とを関連付ける情報が記憶されている。
【００４８】
階層情報記憶部４２４には、設備または機器が配置されている位置に関する情報が階層を表すように記憶されている。例えば、水道設備である受変電所（建物）の４階の制御室の配電盤Ａに部品１（機器）がある場合、受変電所（建物）の図面、４階の図面、制御室の図面、配電盤Ａの図面、部品１（機器）の図面が、後述する階層数情報に関連付けられて記憶されている。また、部品２が配電盤Ａに設けられているときは、受変電所（建物）の図面、４階の図面、制御室の図面、配電盤Ａの図面、部品２（機器）の図面が、階層数情報に関連付けられて記憶される。
【００４９】
モノ情報記憶部４２５には、設備または機器の名称、型番、部品番号、仕様、配置されている場所など、設備または機器の詳細な情報が記憶されている。
【００５０】
コト情報記憶部４２６には、設備または機器それぞれについて、納入後から現在に至るまでの監視、修繕、点検および保守などを行ったことを示す情報と、日時に関する日時情報と、を関連付けて記憶されている。
【００５１】
機器情報登録部４２２をサーバとし、機器関連情報記憶部４２３、階層情報記憶部４２４、モノ情報記憶部４２５、コト情報記憶部４２６をデータベースとしてもよい。
【００５２】
第１の画面について説明する。第１の画面は、設備または機器を登録する画面への遷移、設備または機器に関する業務に用いた報告書などを登録する画面への遷移、設備または機器の履歴を閲覧するための画面への遷移などを、管理する画面である。
【００５３】
図５は、第１の画面を表示させる動作の一実施例を示すフロー図である。ステップＳ５０１では、端末２を使用する利用者の認証と端末２の認証をするための認証処理を、情報処理装置１の認証部４０３を用いて行う。
【００５４】
認証処理について説明をする。まず、端末２を用いて入力されたシステムの利用者を認証するための利用者認証情報と、端末２に設定されている端末認証情報と、を端末２から情報処理装置１へ送信する。続いて、情報処理装置１が利用者認証情報と端末認証情報とを受信し、認証部４０３の端末認証部４０７と利用者認証部４０８を用いて認証処理を行い、情報処理装置１から端末２へ認証がされたか否かを示す情報が送信される。認証に成功した場合にはステップＳ５０２に移行する。
【００５５】
ステップＳ５０２では、端末２の制御部２０１が第１の画面を表示するための指示を端末２の通信部２０５を介して情報処理装置１に送信する。情報処理装置１は、統合ツール４１０を用いて第１の画面を表示させるための情報を、端末２へ送信する。端末２が第１の画面を表示させるための情報を受信すると、第１の画面を表示させる。第１の画面は、例えば図６に示すような画面で、設備または機器を登録するための画面を選択する表示と、業務に関する報告を登録するための画面を選択する表示と、設備または機器に関する情報を閲覧するための画面を選択する表示と、カメラで撮影した画像を表示する、ための画面である。
【００５６】
図６は、第１の画面の表示の一実施例を示す図である。端末２に表示される第１の画面６０１は、第１の登録表示部６０２、第２の登録表示部６０３、機器情報選択表示部６０４、画像表示部６０５、位置検索表示部６０６を有している。
【００５７】
第１の登録表示部６０２、第２の登録表示部６０３、機器情報選択表示部６０４は、タッチパネル３０２を用いて選択されると、リンク先の画面を表示する。第１の登録表示部６０２が選択されると、後述する第１の登録画面９０１を表示する。第２の登録表示部６０３が選択されると、後述する第２の登録画面１６０１を表示する。機器情報選択表示部６０４が選択されると、後述する機器情報表示画面１９０１を表示する。
【００５８】
画像表示部６０５は、カメラで撮影した画像を表示するための画面である。
【００５９】
位置検索表示部６０６が選択されると、後述する機器情報表示画面１９０１の閲覧画像表示部１９０９に図２２〜図２４に示すような図面を表示する。または、図２２〜図２３、図２６に示すような表示だけをしてもよい。
【００６０】
図７は、第１の画面を表示させるデータの関係を示す図である。統合ツール４１０は、第１の画面６０１、第１の登録表示部６０２、第２の登録表示部６０３、機器情報選択表示部６０４、画像表示部６０５、位置検索表示部６０６それぞれに関して、「表示識別情報」、「画面表示情報」「位置情報」「関連情報」・・・・などに示されている情報などを用いて処理する。
【００６１】
各表示を識別する情報を記憶する「表示識別情報」には、本例では、第１の画面６０１の表示識別情報を示す「第１の画面」、第１の登録表示部６０２の表示識別情報を示す「第１の登録表示部」、第２の登録表示部６０３の表示識別情報を示す「第２の登録表示部」、機器情報選択表示部６０４の表示識別情報を示す「機器情報選択表示部」、画像表示部６０５の表示識別情報を示す「画像表示部」、位置検索表示部６０６の表示識別情報を示す「位置検索表示部」・・・・などが記憶されている。
【００６２】
各表示のサイズや色などの情報を記憶する「画面表示情報」には、本例では、第１の画面６０１の画面表示情報を示す「f1_disp」、第１の登録表示部６０２の画面表示情報を示す「f1_reg1_disp」、第２の登録表示部６０３の画面表示情報を示す「f1_reg2_disp」、機器情報選択表示部６０４の画面表示情報を示す「f1_sel_disp」、画像表示部６０５の画面表示情報を示す「f1_image_disp」、位置検索表示部６０６の画面表示情報を示す「f1_search_disp」・・・・などが記憶されている。
【００６３】
各表示の画面上の表示位置を示す情報を記憶する「位置情報」には、本例では、第１の画面６０１の位置情報を示す「f1_pos」、第１の登録表示部６０２の位置情報を示す「f1_reg1_pos」、第２の登録表示部６０３の位置情報を示す「f1_reg2_pos」、機器情報選択表示部６０４の位置情報を示す「f1_sel_pos」、画像表示部６０５の位置情報を示す「f1_image_pos」、位置検索表示部６０６の位置情報を示す「f1_search_pos」・・・・などが記憶されている。
【００６４】
各表示が選択された場合に移行するリンク先のプログラムや実行されるプログラムの位置を表す情報を記憶する「関連情報」には、本例では、第１の画面６０１の関連情報を示す「f1_link」、第１の登録表示部６０２の関連情報を示す「f1_reg1_link」、第２の登録表示部６０３の関連情報を示す「f1_reg2_link」、機器情報選択表示部６０４の関連情報を示す「f1_sel_link」、画像表示部６０５の関連情報を示す「f1_image_link」、位置検索表示部６０６の関連情報を示す「f1_search_link」・・・・などが記憶されている。
【００６５】
第１の登録画面について説明する。第１の登録画面は、未登録または移設した設備または機器の基本情報を登録する画面である。基本情報は、例えば、設備または機器の識別番号、名称、設置位置などを示す情報である。
【００６６】
図８は、第１の登録画面を表示させる動作の一実施例を示すフロー図である。ステップＳ８０１では、端末２のカメラ３０７で設備または機器に付けられているＡＲタグなどを撮影し、撮影した画像を制御部２０１が取得する。
【００６７】
ステップＳ８０２では、端末２の画面に表示されている第１の登録表示部６０２が選択される。続いて、端末２の制御部２０１が画像を端末２の通信部２０５を介して情報処理装置１に送信する。情報処理装置１は、統合ツール４１０を用いて第１の登録画面を表示させるための情報を生成し、生成した情報を端末２へ送信する。
【００６８】
ステップＳ８０３では、端末２が第１の登録画面を表示させるための情報を、情報処理装置１から受信すると、端末２の画面に第１の登録画面が表示される。第１の登録画面は未登録の設備または機器、あるいは移設した設備または機器に関連する情報を登録するための画面で、例えば図９に示すような画面である。
【００６９】
図９は、第１の登録画面の表示の一実施例を示す図である。端末２に表示される第１の登録画面９０１は、識別情報表示部９０２、入力部９０３、階層数入力部９０４、指定図識別情報表示部９０５、指定図表示部９０６などを有する。第１の登録画面９０１に表示させる情報は、情報処理装置１の統合ツール４１０で生成され、端末２に送信される。
【００７０】
識別情報表示部９０２は設備または機器に関連付けられた機器識別情報を表示する。機器識別情報は、例えば、識別ツール４１２が取得した番号である。識別情報表示部９０２に表示する識別情報について説明する。登録部４２１に未登録の設備または機器のＡＲタグの画像を取得した場合、機器識別情報管理部４０４は機器識別情報記憶部４０５に記憶されているまだ発番されていない識別情報を検出するか新しい識別情報を生成して、統合ツール４１０に転送する。登録部４２１に登録済みの設備または機器のＡＲタグの画像を取得した場合、機器識別情報管理部４０４は設備または機器を移設すると判定し、設備または機器に対応する識別情報を統合ツール４１０に転送する。
【００７１】
入力部９０３には未登録の設備または機器の名称を入力するための表示である。移設する場合には登録済みの名称が表示され、変更する場合には新しい名称を再入力してもよい。
【００７２】
階層数入力部９０４は、設備または機器の設置位置が示されている図面情報に、階層数情報を関連付けて入力する。
【００７３】
指定図識別情報表示部９０５、指定図表示部９０６に表示する情報について説明する。指定図識別情報表示部９０５には、図書情報記憶部４１９に記憶されている機場、施設、施設内の区域、区域内の部屋、部屋に設けられた盤、盤に設けられた部品などの図面に割り付けられている識別情報（図面番号またはファイル名など）を選択可能に一覧表示またはツリー表示する。
【００７４】
指定図表示部９０６には指定図識別情報表示部９０５で指定された図面が表示される。
【００７５】
図１０は、第１の画面を表示させるデータの関係を示す図である。統合ツール４１０は、第１の登録画面９０１、識別情報表示部９０２、入力部９０３、階層数入力部９０４、指定図識別情報表示部９０５、指定図表示部９０６、指定位置表示部９０７、指定位置表示部９０８それぞれに関して、「表示識別情報」、「画面表示情報」「位置情報」「関連情報」・・・・などに示されている情報などを用いて処理する。
【００７６】
各表示を識別する表示識別情報を記憶する「表示識別情報」には、本例では、第１の登録画面９０１の表示識別情報を示す「第１の登録画面」、識別情報表示部９０２の表示識別情報を示す「識別情報表示部」、入力部９０３の表示識別情報を示す「入力部」、階層数入力部９０４の表示識別情報を示す「階層数入力部」、指定図識別情報表示部９０５の表示識別情報を示す「指定図識別情報表示部」、指定図表示部９０６の表示識別情報を示す「指定図表示部」、指定位置表示部９０７の表示識別情報を示す「指定位置表示部１」、指定位置表示部９０８の表示識別情報を示す「指定位置表示部２」・・・・などが記憶されている。
【００７７】
各表示のサイズや色などの情報を記憶する「画面表示情報」には、本例では、第１の登録画面９０１の画面表示情報を示す「f2_disp」、識別情報表示部９０２の画面表示情報を示す「f2_idn1_disp」、入力部９０３の画面表示情報を示す「f2_input1_disp」、階層数入力部９０４の画面表示情報を示す「f2_input2_disp」、指定図識別情報表示部９０５の画面表示情報を示す「f2_idn2_disp」、指定図表示部９０６の画面表示情報を示す「f2_image1_disp」、指定位置表示部９０７の画面表示情報を示す「f2_image2_disp」、指定位置表示部９０８の画面表示情報を示す「f2_image3_disp」・・・・などが記憶されている。
【００７８】
各表示の画面上の表示位置を示す情報を記憶する「位置情報」には、本例では、第１の登録画面９０１の位置情報を示す「f2_pos」、識別情報表示部９０２の位置情報を示す「f2_idn1_pos」、入力部９０３の位置情報を示す「f2_input1_pos」、階層数入力部９０４の位置情報を示す「f2_input2_pos」、指定図識別情報表示部９０５の位置情報を示す「f2_idn2_pos」、指定図表示部９０６の位置情報を示す「f2_image1_pos」、指定位置表示部９０７の位置情報を示す「f2_image2_pos」、指定位置表示部９０８の位置情報を示す「f2_image3_pos」・・・・などが記憶されている。
【００７９】
各表示が選択された場合に移行するリンク先のプログラムや実行されるプログラムの位置を表す情報を記憶する「関連情報」には、本例では、第１の登録画面９０１の関連情報を示す「f2_link」、識別情報表示部９０２の関連情報を示す「f2_idn1_link」、入力部９０３の関連情報を示す「f2_input1_link」、階層数入力部９０４の関連情報を示す「f2_input2_link」、指定図識別情報表示部９０５の関連情報を示す「f2_idn2_link」、指定図表示部９０６の関連情報を示す「f2_image1_link」、指定位置表示部９０７の関連情報を示す「f2_image2_link」、指定位置表示部９０８の関連情報を示す「f2_image3_link」・・・・などが記憶されている。
【００８０】
ステップＳ８０４では、端末２の画面に表示された入力部９０３に、ソフトウェアキーボードまたは音声入力などにより入力された設備または機器の名称などの入力情報を取得する。
【００８１】
ステップＳ８０５では階層登録処理を行う。
【００８２】
図１１は、階層登録処理の動作の一実施例を示すフロー図である。ステップＳ１１０１では、入力情報を用いて入力された設備または機器の設置位置に関する図面情報を検索する指示を、端末２から情報処理装置１に送信する。情報処理装置１の統合ツール４１０は、入力情報に入力された内容と一致または類似する設置位置が示されている図面情報を図書情報記憶部４１９から検索する。一致または類似する設置位置が示されている図面情報を、情報処理装置１から端末２へ送信する。情報処理装置１から端末２へ送信される図面情報は複数でもよい。なお、検索は作業者が行ってもよい。
【００８３】
図面情報の検索について説明する。図１２は、設備および機器の階層を説明するための図である。図１２に示される円形は「機場」「施設１」「施設２」「区域」「部屋１」「部屋２」「部屋３」「盤１」「盤２」「盤３」「盤４」「部品１」〜「部品１０」の図面情報（例えば、見取図、設計図など）を示している。「機場」「施設１」「施設２」「区域」「部屋１」「部屋２」「部屋３」「盤１」「盤２」「盤３」「盤４」「部品１」〜「部品１０」の図面情報は、図書情報記憶部４１９に記憶されている。また、「機場」の図面には「施設１」「施設２」が示されている。「施設１」の図面には「区域」が示され、「区域」の図面には「部屋１」「部屋２」「部屋３」が示されている。「部屋１」「部屋２」「部屋３」の図面にはそれぞれ「盤１」「盤２」「盤３」が示され、「盤１」の図面には「部品１」が示され、「部品１」の図面には「部品２」「部品３」が示されている。「盤３」の図面には「部品４」「部品６」が示され、「部品４」の図面には「部品５」が示され、「部品６」の図面には「部品７」「部品８」が示されている。「盤４」の図面には「部品９」「部品１０」が示されている。
【００８４】
例えば、入力部９０３に「部品４」が入力されると、識別情報表示部９０２に表示されている識別情報「１２」と「部品４」が関連付けられてモノ情報記憶部４２５に記憶される。続いて、「部品４」に関連する、図書情報記憶部４１９に記憶されている図面情報を検索する。
【００８５】
「部品４」に関連する上位階層にある図面情報の検索は、例えば、「部品４」の名称や型番などをキーとして、図書情報記憶部４１９が記憶している、設備または機器の部品表などの情報を参照し、部品表内に「部品４」の名称や型番などに類似または一致する情報がある場合には、その設備または機器の図面情報を取得する。本例では、「盤３」の部品表などの情報に「部品４」の名称や型番などに類似または一致する情報があるので、「部品４」の上位階層にある「盤３」の図面情報が検出される。続いて、図書情報記憶部４１９が記憶している「部屋３」の設計図または部品表などの情報に、「盤３」の名称や型番などに類似または一致する情報があるので、「盤３」の上位階層にある「部屋３」の図面情報が検出される。続いて、「区域」の設計図または部品表などの情報に「部屋３」の名称や型番などに類似または一致する情報があるので、「部屋３」の上位階層にある「区域」の図面情報が検出される。続いて、「施設１」の設計図または部品表などの情報に「区域」の名称や型番などに類似または一致する情報があるので、「区域」の上位階層にある「施設１」の図面情報が検出される。続いて、「機場」の設計図または部品表などの情報に「施設１」の名称や型番などに類似または一致する情報があるので、「施設１」の上位階層にある「機場」の図面情報が検出される。
【００８６】
「部品４」に関連する下位階層にある図面情報の検索は、例えば、「部品４」の名称や型番などをキーとして、図書情報記憶部４１９が記憶している、「部品４」の部品表などの情報を参照し、部品表内の部品に関する図面情報を検索する。本例では、「部品４」に用いられている部品である「部品５」に類似または一致する図面情報が検出される。
【００８７】
上述のように、「機場」、「施設１」、「区域」、「部屋３」、「盤３」、「部品４」、および「部品５」の各図面情報は、図書情報記憶部４１９が記憶している情報に基づいて互いに関連付けられた階層構造を有している。図書情報記憶部４１９が記憶している情報は、例えば設計図又は部品表などであって、下位階層の設備又は機器を示す情報を含むが、上位階層および下位階層の少なくとも一方の機器又は施設を示す情報であればよい。
【００８８】
ステップＳ１１０２では、端末２の画面に検索された図面情報を表示する。ただし、端末２の画面に入力情報に関連しない図面情報が表示された場合には、再度、ステップＳ１１０１で検索をする。
【００８９】
ステップＳ１１０３では、端末２の画面に表示された図面に設置位置が指定されたことを、端末２の制御部２０１が判定する。図９の指定位置表示部９０７や指定位置表示部９０８に示す位置などに設置位置を指定する。スタイラスペンや指先でクリックなどして設置位置が指定されると、指定された位置に図形などが描かれる。
【００９０】
ステップＳ１１０４では図面情報各々に階層数情報を関連付ける。
【００９１】
図１３は、階層数情報とスライダ情報のデータ構造の一実施例を示す図である。図１３の階層数情報１３０１は図１２の「部品４」から検索された情報である。階層数情報１３０１は、設備または機器の登録時に発番される情報「機器識別情報」、設備または機器の図面情報を示す情報「図面情報」、設備または機器の設置位置の階層数を示す情報「階層数情報」、緯度と経度を示す情報「緯度／経度情報」に記憶される情報を有する。「機器識別情報」には、本例では図面情報各々に対応する機器識別情報を示す「１２３４」「１５」「２３」「０３」「１０」「１２」「２５」が記憶される。「図面情報」には、部品４を含む階層構造を有する複数の図面、即ち本例では機場の図面情報を示す「機場図面情報」、施設の図面情報を示す「施設図面情報」、区域の図面情報を示す「区域図面情報」、部屋の図面情報を示す「部屋図面情報」、盤の図面情報を示す「盤図面情報」、部品４の図面情報を示す「部品１図面情報」、部品５の図面情報を示す「部品２図面情報」が記憶される。「階層数情報」には、本例では図面情報各々に対応する階層数を示す情報「１」「２」「３」「４」「５」「６」「７」が記憶される。
【００９２】
各図面情報には、階層数情報を介して、後述するスライダ情報が示す、スライダ表示部１９１３におけるカーソル部１９１４の位置範囲がそれぞれ対応付けられている。スライダ表示部１９１３は、一次元方向に所定範囲を移動可能なカーソル部１９１４を有しており、例えば表示する図面情報を切替えるために用いられる。例えば、スライダ表示部１９１３においてカーソル部１９１４が移動可能な全範囲（全スケール）を１００〜０に設定した場合には、スケールが１００〜５１（図１９のカーソル部１９１４が中心より上）までは地図を用いて地図の縮尺を変更して表示する。スケールが５０〜０までは、カーソル部１９１４の位置に応じて図１３の階層数情報１３０１に対応する図面情報を表示する。スケールは、スライダ表示部１９１３内におけるカーソル部１９１４の位置である。
【００９３】
図１３のスライダ情報１３０２は、「階層数情報」「スライダ情報」に記憶される情報を有する。「スライダ情報」には、各階層に対応するスケール範囲を示す情報が記憶されている。本例では、階層数「１」に対応するスケール範囲を示す情報「５０−４０」、階層数「２」に対応するスケール範囲を示す情報「４０−３０」、階層数「３」に対応するスケール範囲を示す情報「３０−２０」、階層数「４」に対応するスケール範囲を示す情報「２０−１０」、階層数「５」に対応するスケール範囲を示す情報「１０−７」、階層数「６」に対応するスケール範囲を示す情報「７−３」、階層数「７」に対応するスケール範囲を示す情報「３−０」が記憶されている。
【００９４】
「緯度／経度情報」には、本例では機場の緯度と経度を示す情報「Ｌ／Ｌ_１」、施設の緯度と経度を示す情報「Ｌ／Ｌ_２」、区域の緯度と経度を示す情報「Ｌ／Ｌ_３」、部屋、盤３、部品４、部品５の緯度と経度を示す情報「Ｌ／Ｌ_４」が記憶される。ただし、緯度と経度の付し方は図１３の階層数情報１３０１に限定されるものではない。
【００９５】
ステップＳ１１０５では、情報処理装置１から端末２へ送信される図面情報が複数ある場合で、かつ階層数情報の関連付けが終了していない図面情報がある場合（Ｙｅｓ）にはステップＳ１１０４に移行する。また、階層数情報の関連付けが終了して次の図面情報がない場合（Ｎｏ）には階層登録処理を終了する。
【００９６】
図８のステップＳ８０６では、端末２が関連付け処理を行うために、ステップＳ１１０１〜Ｓ１１０５で生成した図面情報や設置位置（図面に対応する座標情報など）の情報を、端末２から情報処理装置１へ送信する。関連付け処理は、情報処理装置１の機器情報登録部４２２が、階層情報記憶部４２４に図面と設置位置の関係を示す情報と、図面の上位階層にある図面および設置位置が示されている下位階層にある図面との関係を示す情報と、を関連付けて記憶する。
【００９７】
続いて、関連付け処理が完了すると、情報処理装置１から端末２に関連付け処理が完了したことが通知される。ステップＳ８０７では、第１の登録画面９０１で行う本処理が完了した場合、端末２の制御部２０１が本処理を完了させ、本処理が完了したことを情報処理装置１にも通知する。また、本処理が完了していない場合にはステップＳ８０４に移行する。
【００９８】
第２の登録画面について説明する。第２の登録画面は業務で使用する画面で、業務に関係する報告書などの情報を作成して記憶するための画面である。
【００９９】
図１４、図１５は、第２の登録画面を表示させる動作の一実施例を示すフロー図である。ステップＳ１４０１では、端末２のカメラ３０７で設備または機器に付けられているＡＲタグなどを撮影し、撮影した画像を制御部２０１が取得する。
【０１００】
ステップＳ１４０２では、端末２の画面に表示されている第２の登録表示部６０３が選択される。続いて、端末２の制御部２０１が画像を端末２の通信部２０５を介して情報処理装置１に送信する。情報処理装置１は、統合ツール４１０を用いて第２の登録画面を表示させるための情報を、端末２へ送信する。
【０１０１】
ステップＳ１４０３では、端末２が第２の登録画面を表示させるための情報を、情報処理装置１から受信すると、端末２の画面に第２の登録画面が表示される。例えば、図１６に示すような画面である。
【０１０２】
図１６は、第２の登録画面の表示の一実施例を示す図である。端末２に表示される第２の登録画面１６０１は、識別情報表示部１６０２、設備機器表示部１６０３、作業担当表示部１６０４、業務選択表示部１６０５〜１６０８、書類表示部１６０９、関連書類表示部１６１０、コメント入力部１６１１、完了選択表示部１６１２などを有する。第２の登録画面１６０１に表示させる情報は、情報処理装置１の統合ツール４１０で生成され、端末２に送信される。
【０１０３】
識別情報表示部１６０２は設備または機器に関連付けられた機器識別情報を表示する。例えば、正の整数などを用いた番号が考えられる。機器識別情報は識別ツール４１２を用いて取得する。
【０１０４】
設備機器表示部１６０３は、識別情報表示部１６０２に表示されている機器識別情報に関連付けられた設備または機器の名称が表示される。機器情報ツール４１４を用いて登録部４２１から設備または機器の名称に関する情報を取得する。
【０１０５】
作業担当表示部１６０４は業務を行う作業担当の名称を表示する。例えば、メーカー名、作業担当者名などが考えられる。作業担当の情報は、認証に成功すると利用者認証部４０８からコンテンツ部４０９に送信される。
【０１０６】
業務選択表示部１６０５〜１６０８は、タッチパネル３０２などにより業務を選択するための表示である。業務は、例えば、監視、修繕、点検および保守などが考えられる。業務選択表示部１６０５〜１６０８のうち監視業務に対応する表示が選択されると、端末２から監視ツール４１６を起動させる指示が送信される。修繕、点検および保守業務に対応する表示が選択されると、端末２から業務ツール４１１を起動させる指示が送信される。その後、書類表示部１６０９、関連書類表示部１６１０、コメント入力部１６１１などに、対象の設備または機器の修繕、点検および保守業務に関する情報が表示される。
【０１０７】
書類表示部１６０９は業務に関連する点検項目リストや各種報告書のフォーマットが表示される。点検項目リストや各種報告書などのフォーマットは、帳票作成ツール４１３を用いて表示される。
【０１０８】
関連書類表示部１６１０は、対象の設備または機器に関連する登録情報を、アイコンなどに対応づけて表示する。コメント入力部１６１１は、対象の設備または機器の修繕、点検および保守業務に関するコメントを入力するための表示である。
【０１０９】
完了選択表示部１６１２は、業務が完了したことを知らせるための表示である。端末２の画面の完了選択表示部１６１２がタッチパネル３０２などを用いて選択されると、業務が完了したことを情報処理装置１に通知する。
【０１１０】
ステップＳ１４０４では、端末２の画面に表示されている業務選択表示部１６０５〜１６０８のいずれか１つが選択されたことを、制御部２０１が検出する。続いて、選択された業務処理に移行する。
【０１１１】
業務処理の動作を示すフロー図である図１５のステップＳ１５０１では、端末２が選択された業務に関する業務情報を取得する、書類表示部１６０９、関連書類表示部１６１０、コメント入力部１６１１などに、対象の設備または機器の修繕、点検および保守業務に関する情報が表示される。
【０１１２】
ステップＳ１５０２では端末２を用いて業務ごとの処理が行われ、業務が完了するとステップＳ１４０５に移行する。業務ごとの処理は、対象の設備または機器の修繕、点検および保守業務において作成した点検項目リストや各種報告書に関する情報を、登録部４２１に登録されている対象の設備または機器に関連付けてストレージ部４１７の報告書記憶部４２０に記憶する。
【０１１３】
図１４のステップＳ１４０５では、完了選択表示部１６１２が選択された場合（Ｙｅｓ）には本処理を完了する。完了選択表示部１６１２が選択されない場合（Ｎｏ）にはステップＳ１４０４に移行する。
【０１１４】
図１７は、第２の登録画面を表示させるデータの関係を示す図である。統合ツール４１０は、第２の登録画面１６０１、識別情報表示部１６０２、設備機器表示部１６０３、作業担当表示部１６０４、業務選択表示部１６０５〜１６０８、書類表示部１６０９、関連書類表示部１６１０、コメント入力部１６１１、完了選択表示部１６１２それぞれに関して、「表示識別情報」、「画面表示情報」「位置情報」「関連情報」・・・・などに示されている情報などを用いて処理する。
【０１１５】
各表示を識別する表示識別情報を記憶する「表示識別情報」には、本例では、第２の登録画面１６０１の表示識別情報を示す「第２の登録画面」、識別情報表示部１６０２の表示識別情報を示す「識別情報表示部」、設備機器表示部１６０３の表示識別情報を示す「設備機器表示部」、作業担当表示部１６０４の表示識別情報を示す「作業担当表示部」、業務選択表示部１６０５の表示識別情報を示す「業務選択表示部１」、業務選択表示部１６０６の表示識別情報を示す「業務選択表示部２」、業務選択表示部１６０７の表示識別情報を示す「業務選択表示部３」、業務選択表示部１６０８の表示識別情報を示す「業務選択表示部４」、書類表示部１６０９の表示識別情報を示す「書類表示部」、関連書類表示部１６１０の表示識別情報を示す「関連書類表示部」、コメント入力部１６１１の表示識別情報を示す「コメント入力部」、完了選択表示部１６１２の表示識別情報を示す「完了選択表示部」・・・・などが記憶されている。
【０１１６】
各表示のサイズや色などの情報を記憶する「画面表示情報」には、本例では、第２の登録画面１６０１の画面表示情報を示す「f3_disp」、識別情報表示部１６０２の画面表示情報を示す「f3_idn_disp」、設備機器表示部１６０３の画面表示情報を示す「f3_cura_disp」、作業担当表示部１６０４の画面表示情報を示す「f3_worker_disp」、業務選択表示部１６０５の画面表示情報を示す「f3_sel1_disp」、業務選択表示部１６０６の画面表示情報を示す「f3_sel2_disp」、業務選択表示部１６０７の画面表示情報を示す「f3_sel3_disp」、業務選択表示部１６０８の画面表示情報を示す「f3_sel4_disp」、書類表示部１６０９の画面表示情報を示す「f3_image1_disp」、関連書類表示部１６１０の画面表示情報を示す「f3_image2_disp」、コメント入力部１６１１の画面表示情報を示す「f3_input_disp」、完了選択表示部１６１２の画面表示情報を示す「f3_end_disp」・・・・などが記憶されている。
【０１１７】
各表示の画面上の表示位置を示す情報を記憶する「位置情報」には、本例では、第２の登録画面１６０１の位置情報を示す「f3_pos」、識別情報表示部１６０２の位置情報を示す「f3_idn_pos」、設備機器表示部１６０３の位置情報を示す「f3_cura_pos」、作業担当表示部１６０４の位置情報を示す「f3_worker_pos」、業務選択表示部１６０５の位置情報を示す「f3_sel1_pos」、業務選択表示部１６０６の位置情報を示す「f3_sel2_pos」、業務選択表示部１６０７の位置情報を示す「f3_sel3_pos」、業務選択表示部１６０８の位置情報を示す「f3_sel4_pos」、書類表示部１６０９の位置情報を示す「f3_image1_pos」、関連書類表示部１６１０の位置情報を示す「f3_image2_pos」、コメント入力部１６１１の位置情報を示す「f3_input_pos」、完了選択表示部１６１２の位置情報を示す「f3_end_pos」・・・・などが記憶されている。
【０１１８】
各表示が選択された場合に移行するリンク先のプログラムや実行されるプログラムの位置を表す情報を記憶する「関連情報」には、本例では、第２の登録画面１６０１の関連情報を示す「f3_link」、識別情報表示部１６０２の関連情報を示す「f3_idn_link」、設備機器表示部１６０３の関連情報を示す「f3_cura_link」、作業担当表示部１６０４の関連情報を示す「f3_worker_link」、業務選択表示部１６０５の関連情報を示す「f3_sel1_link」、業務選択表示部１６０６の関連情報を示す「f3_sel2_link」、業務選択表示部１６０７の関連情報を示す「f3_sel3_link」、業務選択表示部１６０８の関連情報を示す「f3_sel4_link」、書類表示部１６０９の関連情報を示す「f3_image1_link」、関連書類表示部１６１０の関連情報を示す「f3_image2_link」、コメント入力部１６１１の関連情報を示す「f3_input_link」、完了選択表示部１６１２の関連情報を示す「f3_end_link」・・・・などが記憶されている。
【０１１９】
機器情報表示画面について説明する。機器情報表示画面は特定した設備または機器の情報を閲覧するための画面である。図１８は、機器情報表示画面を表示させる動作の一実施例を示すフロー図である。
【０１２０】
ステップＳ１８０１では、端末２のカメラ３０７で設備または機器に付けられているＡＲタグなどを撮影し、撮影した画像を制御部２０１が取得する。ステップＳ１８０２では、端末２の画面に表示されている機器情報選択表示部６０４が選択される。
【０１２１】
続いて、端末２の制御部２０１が画像を端末２の通信部２０５を介して情報処理装置１に送信する。情報処理装置１は、統合ツール４１０を用いて機器情報表示画面を表示させるための情報を、端末２へ送信する。
【０１２２】
ステップＳ１８０３では、端末２が機器情報表示画面を表示させるための情報を、情報処理装置１から受信すると、端末２の画面に機器情報表示画面が表示される。例えば、図１６に示すような画面である。
【０１２３】
図１９は、機器情報表示画面の一実施例を示す図である。端末２に表示される機器情報表示画面１９０１は、取扱説明表示部１９０２、設備機器表示部１９０３、閲覧表示部１９０４、機器画像表示部１９０５、報告情報表示部１９０６、稼動状況表示部１９０７、在庫表示部１９０８、閲覧画像表示部１９０９、計測情報表示部１９１０、連絡情報表示部１９１１、関連機器表示部１９１２、スライダ表示部１９１３などを有する。機器情報表示画面１９０１に表示させる情報は、情報処理装置１の統合ツール４１０で生成され、端末２に送信される。
【０１２４】
取扱説明表示部１９０２には、対象の設備または機器の取扱説明を表示させるために設けられている。端末２で取扱説明表示部１９０２が選択されると、端末２から情報処理装置１へ取扱説明に関する情報を取得するための指示が送信される。情報処理装置１は指示を受信すると、図書情報記憶部４１９から取扱説明に関する情報を取得して、端末２へ送信する。端末２は取扱説明に関する情報を取得して取扱説明を閲覧画像表示部１９０９に表示する。
【０１２５】
設備機器表示部１９０３には、対象の設備または機器の名称が表示される。端末２から情報処理装置１へ対象の設備または機器の名称に関する情報を取得するための指示が送信される。情報処理装置１は指示を受信すると、モノ情報記憶部４２５から対象の設備または機器の名称に関する情報を取得して、端末２へ送信する。端末２は対象の設備または機器の名称に関する情報を取得して名称を設備機器表示部１９０３に表示する。
【０１２６】
閲覧表示部１９０４には、対象の設備または機器の情報に対応付けられた表示部（アイコンなど）が、時系列に表示される。図２０、２１を参照。
【０１２７】
機器画像表示部１９０５には対象の設備または機器の写真が表示される。端末２から情報処理装置１へ対象の設備または機器の写真に関する情報を取得するための指示が送信される。情報処理装置１は指示を受信すると、メディア情報記憶部４１８から対象の設備または機器の写真に関する情報を取得して、端末２へ送信する。端末２は対象の設備または機器の写真に関する情報を取得して写真を機器画像表示部１９０５に表示する。
【０１２８】
報告情報表示部１９０６は選択されると、閲覧表示部１９０４に時系列に表示された表示部に対応する設備または機器の報告書などが閲覧画像表示部１９０９に表示される。端末２で報告情報表示部１９０６が選択されると、端末２から情報処理装置１へ報告書に関する情報を取得するための指示が送信される。情報処理装置１は指示を受信すると、報告書記憶部４２０から報告書に関する情報を取得して、端末２へ送信する。端末２は報告書に関する情報を取得して報告書を閲覧画像表示部１９０９に表示する。
【０１２９】
稼動状況表示部１９０７は選択されると、閲覧表示部１９０４に時系列に表示された表示部に対応する設備または機器の稼動状況を示す情報が閲覧画像表示部１９０９に表示される。端末２で稼動状況表示部１９０７が選択されると、端末２から情報処理装置１へ稼動状況に関する情報を取得するための指示が送信される。情報処理装置１は指示を受信すると、監視ツール４１６が取得した設備または機器の稼動状況に関する情報を取得して、端末２へ送信する。端末２は稼動状況に関する情報を取得して稼動状況を閲覧画像表示部１９０９に表示する。
【０１３０】
在庫表示部１９０８は選択されると、対象の設備または機器の在庫に関する情報が閲覧画像表示部１９０９に表示される。端末２で在庫表示部１９０８が選択されると、端末２から情報処理装置１へ在庫に関する情報を取得するための指示が送信される。情報処理装置１は指示を受信すると、在庫に関する情報を取得して、端末２へ送信する。端末２は在庫に関する情報を取得して稼動状況を閲覧画像表示部１９０９に表示する。
【０１３１】
閲覧画像表示部１９０９は選択されると、対象の設備または機器に関する画像が表示される。
【０１３２】
計測情報表示部１９１０は、対象の設備または機器の計測に関する情報が表示される。端末２から情報処理装置１へ対象の設備または機器の計測に関する情報を取得するための指示が送信される。情報処理装置１は指示を受信すると、監視ツール４１６が取得した設備または機器の計測に関する情報を取得して、端末２へ送信する。端末２は計測に関する情報を取得して計測状況を閲覧画像表示部１９０９に表示する。
【０１３３】
連絡情報表示部１９１１は選択されると、対象の設備または機器に対する連絡先が表示される。端末２で連絡情報表示部１９１１が選択されると、端末２から情報処理装置１へ連絡先に関する情報を取得するための指示が送信される。情報処理装置１は指示を受信すると、連絡先に関する情報を取得して、端末２へ送信する。端末２は連絡先に関する情報を取得して連絡先を閲覧画像表示部１９０９に表示する。
【０１３４】
関連機器表示部１９１２は選択されると、対象の設備または機器に関連する機器が表示される。端末２で関連機器表示部１９１２が選択されると、端末２から情報処理装置１へ関連機器に関する情報を取得するための指示が送信される。情報処理装置１は指示を受信すると、関連機器に関する情報をコト情報記憶部４２６から取得して、端末２へ送信する。端末２は関連機器に関する情報を取得して関連機器を閲覧画像表示部１９０９に表示する。
【０１３５】
スライダ表示部１９１３は、閲覧画像表示部１９０９に表示する図面情報の決定及び図面情報の表示の拡大又は縮小するために用いられる。例えば、スライダ表示部１９１３のスケールを１００〜０に設定した場合には、１００〜５１（図１９のカーソル部１９１４が中心より上）までは地図を用いて地図の縮尺を変更して表示する。ただし、スケールは１００〜０に限定されるものではない。
【０１３６】
ステップＳ１８０４では、端末２を用いて対象の設備または機器に関連する情報の閲覧がされる（閲覧処理）。ステップＳ１８０５では、端末２を用いての閲覧が完了した場合（Ｙｅｓ）には本処理を完了し、本処理を完了しない場合（Ｎｏ）にはステップＳ１８０４に移行する。
【０１３７】
図２０は、機器情報表示画面を表示させるデータの関係を示す図である。統合ツール４１０は、機器情報表示画面１９０１、取扱説明表示部１９０２、設備機器表示部１９０３、閲覧表示部１９０４、機器画像表示部１９０５、報告情報表示部１９０６、稼動状況表示部１９０７、在庫表示部１９０８、閲覧画像表示部１９０９、計測情報表示部１９１０、連絡情報表示部１９１１、関連機器表示部１９１２、スライダ表示部１９１３それぞれに関して、「表示識別情報」、「画面表示情報」「位置情報」「関連情報」・・・・などに示されている情報などを用いて処理する。
【０１３８】
各表示を識別する表示識別情報を記憶する「表示識別情報」には、本例では、機器情報表示画面１９０１の表示識別情報を示す「第２の登録画面」、取扱説明表示部１９０２の表示識別情報を示す「取扱説明表示部」、設備機器表示部１９０３の表示識別情報を示す「設備機器表示部」、閲覧表示部１９０４の表示識別情報を示す「閲覧表示部」、機器画像表示部１９０５の表示識別情報を示す「機器画像表示部」、報告情報表示部１９０６の表示識別情報を示す「報告情報表示部」、稼動状況表示部１９０７の表示識別情報を示す「稼動状況表示部」、在庫表示部１９０８の表示識別情報を示す「在庫表示部」、閲覧画像表示部１９０９の表示識別情報を示す「閲覧画像表示部」、計測情報表示部１９１０の表示識別情報を示す「計測情報表示部」、連絡情報表示部１９１１の表示識別情報を示す「連絡情報表示部」、関連機器表示部１９１２の表示識別情報を示す「関連機器表示部」、スライダ表示部１９１３の表示識別情報を示す「スライダ表示部」・・・・などが記憶されている。
【０１３９】
各表示のサイズや色などの情報を記憶する「画面表示情報」には、本例では、機器情報表示画面１９０１の画面表示情報を示す「f4_disp」、取扱説明表示部１９０２の画面表示情報を示す「f4_ope_disp」、設備機器表示部１９０３の画面表示情報を示す「f4_cura_disp」、閲覧表示部１９０４の画面表示情報を示す「f4_consult_disp」、機器画像表示部１９０５の画面表示情報を示す「f4_report_disp」、報告情報表示部１９０６の画面表示情報を示す「f4_status_disp」、稼動状況表示部１９０７の画面表示情報を示す「f4_stock_disp」、在庫表示部１９０８の画面表示情報を示す「f4_image1_disp」、閲覧画像表示部１９０９の画面表示情報を示す「f4_image2_disp」、計測情報表示部１９１０の画面表示情報を示す「f4_image3_disp」、連絡情報表示部１９１１の画面表示情報を示す「f4_contact_disp」、関連機器表示部１９１２の画面表示情報を示す「f4_relate_disp」、スライダ表示部１９１３の画面表示情報を示す「f4_slide_disp」・・・・などが記憶されている。
【０１４０】
各表示の画面上の表示位置を示す情報を記憶する「位置情報」には、本例では、機器情報表示画面１９０１の位置情報を示す「f4_pos」、取扱説明表示部１９０２の位置情報を示す「f4_ope_pos」、設備機器表示部１９０３の位置情報を示す「f4_cura_pos」、閲覧表示部１９０４の位置情報を示す「f4_consult_pos」、機器画像表示部１９０５の位置情報を示す「f4_report_pos」、報告情報表示部１９０６の位置情報を示す「」、稼動状況表示部１９０７の位置情報を示す「f4_status_pos f4_stock_pos」、在庫表示部１９０８の位置情報を示す「f4_image1_pos」、閲覧画像表示部１９０９の位置情報を示す「f4_image2_pos」、計測情報表示部１９１０の位置情報を示す「f4_image3_pos」、連絡情報表示部１９１１の位置情報を示す「f4_contact_pos」、関連機器表示部１９１２の位置情報を示す「f4_relate_pos」、スライダ表示部１９１３の画面表示情報を示す「f4_slide_pos 」・・・・などが記憶されている。
【０１４１】
各表示が選択された場合に移行するリンク先のプログラムや実行されるプログラムの位置を表す情報を記憶する「関連情報」には、本例では、機器情報表示画面１９０１の関連情報を示す「f4_link」、取扱説明表示部１９０２の関連情報を示す「f4_ope_link」、設備機器表示部１９０３の関連情報を示す「f4_cura_link」、閲覧表示部１９０４の関連情報を示す「f4_consult_link」、機器画像表示部１９０５の関連情報を示す「f4_report_link」、報告情報表示部１９０６の関連情報を示す「f4_status_link」、稼動状況表示部１９０７の関連情報を示す「f4_stock_link」、在庫表示部１９０８の関連情報を示す「f4_image1_link」、閲覧画像表示部１９０９の関連情報を示す「f4_image2_link」、計測情報表示部１９１０の関連情報を示す「f4_image3_link」、連絡情報表示部１９１１の関連情報を示す「f4_contact_link」、関連機器表示部１９１２の関連情報を示す「f4_relate_link」、スライダ表示部１９１３の関連情報を示す「f4_slide _link」・・・・などが記憶されている。
【０１４２】
スライダ表示部について説明する。図２１は、閲覧画像表示部１９０９に図面情報を表示させる動作の一実施例を示すフロー図である。ステップＳ２１０１では、スライダ表示部１９１３がタッチパネル３０２などを用いて選択されると、ステップＳ２１０２ではカーソル部１９１４の位置（スケール）を取得し、端末２から情報処理装置１へ送信する。統合ツール４１０は、端末２から送信されたスケールに対応する階層数情報に関連付けられた図面情報を取得する。その後、情報処理装置１から端末２へ取得した図面情報を送信する。
【０１４３】
ステップＳ２１０３では端末２が階層数情報に一致する図面情報を取得し、ステップＳ２１０４では閲覧画像表示部１９０９に取得した図面を表示する（閲覧処理）。ステップＳ２１０５では、閲覧処理が完了した場合（Ｙｅｓ）には処理を終了し、閲覧処理が完了していない場合（Ｎｏ）にはステップＳ２１０２に移行する。
【０１４４】
図２２、図２３は、スライダのカーソル位置（スケール）と図面との関係を示す図である。図２２の図２２０１は、閲覧画像表示部１９０９に表示される地図や地図に対応した写真で、機場「１２３４」の位置が示されている。このとき、スライダ表示部１９１３のカーソル部１９１４は、階層数「１」に対応する図面を表示する範囲（「５０−４０」）にある。
【０１４５】
図２２の図２２０２は、閲覧画像表示部１９０９に表示される図面で、機場「１２３４」の施設１「１５」などの位置を示している。このとき、スライダ表示部１９１３のカーソル部１９１４は、階層数「２」に対応する図面を表示する範囲を示す情報「４０−３０」を示している。
【０１４６】
図２２の図２２０３は、閲覧画像表示部１９０９に表示される図面で、機場「１２３４」の施設１「１５」の区域「２３」などの位置を示している。このとき、スライダ表示部１９１３のカーソル部１９１４は、階層数「３」に対応する図面を表示する範囲を示す情報「３０−２０」を示している。
【０１４７】
図２３の図２３０１は、閲覧画像表示部１９０９に表示される図面で、機場「１２３４」の施設１「１５」の区域「２３」の部屋３「０３」などの位置を示している。このとき、スライダ表示部１９１３のカーソル部１９１４は、階層数「４」に対応する図面を表示する範囲を示す情報「２０−１０」を示している。
【０１４８】
図２３の図２３０２は、閲覧画像表示部１９０９に表示される図面で、機場「１２３４」の施設１「１５」の区域「２３」の部屋３「０３」の盤３「１０」などの位置を示している。このとき、スライダ表示部１９１３のカーソル部１９１４は、階層数「５」に対応する図面を表示する範囲を示す情報「１０−７」を示している。
【０１４９】
なお、スライダ表示部１９１３のカーソル部１９１４が、表示している図面情報に対応付けられたスライダ情報が示す位置範囲内において移動されている場合、図２２、図２３の各閲覧画像表示部１９０９に示されるカーソル２２０４（三角形と丸）に選択された箇所を中心として、図面が拡大または縮小される。カーソル部１９１４が表示している図面情報に対応付けられたスライダ情報が示す位置範囲外になると、上位階層又は下位階層の図面情報に表示が切り替わる。また、下位階層の図面情報に切替える際に、下位階層の図面情報が複数存在する場合、例えば、カーソル２２０４に選択された箇所に対応する、下位階層の図面情報に表示が切り替わる。
【０１５０】
好適には、表示されている図面情報を上位階層の図面情報に切替えるカーソル部１９１４の移動方向と、表示されている図面情報の表示を縮小するカーソル部１９１４の移動方向と、が一致するように定める。例えば、階層数「２」に対応する図面を表示するスケール範囲は「４０−３０」である。係る場合、カーソル部１９１４の位置（スケール）が４０を超えると上位階層（階層数「１」）に対応する図面に表示が切替わる。したがって、スケール範囲「４０−３０」においてスケールが増加する方向にカーソル部１９１４が移動すると、階層数「２」に対応する図面が縮小される。一方、スケールが減少する方向にカーソル部１９１４を移動すると、図面が拡大される。
【０１５１】
実施形態によれば、設備または機器の設置位置を把握する時間を短縮することができるため、業務の作業効率を向上できる。また、図面情報の切替え及び図面情報の拡大・縮小を、カーソル部１９１４の操作により同時に実行するため、業務の作業効率を更に向上できる。
【０１５２】
また、表示されている図面情報を上位階層の図面情報に切替えるカーソル部１９１４の移動方向と、表示されている図面情報の表示を縮小するカーソル部１９１４の移動方向と、が一致するため、例えば図面を拡大していくとより詳細な下位階層の図面情報に切替わるなど、直感的な操作により業務の作業効率を更に向上できる。
【０１５３】
図２４は、プラントフロー表示を示す図である。カーソル部２４０１（１９１４）をクリックして、図２４に示すようなプラントフローを表示してもよい。端末２が各閲覧画像表示部１９０９に表示している図面に関連するプラントフローを示す図面情報を検索する指示を、情報処理装置１に送信する。情報処理装置１の統合ツール４１０が図書情報記憶部４１９に記憶されている表示している図面に関連するプラントフローの図面情報を、図書情報記憶部４１９を検索して取得し、取得したプラントフローを示す図面情報を情報処理装置１から端末２へ送信する。なお、プラントフローが表示されているときはカーソル部１９１４の色を変えてもよい。
【０１５４】
図２５は、タイムスライダの一実施例を示す図である。端末２の画面に閲覧表示部１９０４（タイムスライダなど）が表示される。矢印表示部２５０５ａ、２５０５ｂは表示期間を細かく変更する場合に用いる。矢印表示部２５０５ａ、２５０５ｂがスタイラスペンや指先で選択されごとに、決められた期間だけ表示期間の表示が変更される。表示期間が１１月１日から１１月３０日の期間で、決められた期間が１日であれば、例えば、矢印表示部２５０５ａが１回選択されると表示期間が１０月３１日から１１月２９日の期間に変更される。
【０１５５】
期間表示部２５０２（スライダバー）は表示期間のタイムスケールを示す表示である。また、期間表示部２５０２に表示されているつまみ部２５０４は、移動させることにより期間表示部２５０２の位置に対応する日時を表示させる。本例では、年月日だけが表示されているが時間を表示させてもよい。
【０１５６】
日時表示部２５０３ａ、２５０３ｂは表示期間の最初と最後の日時を表示する。本例では、年月日だけが表示されているが時間を表示させてもよい。履歴表示部２５０６は業務の種類を示す表示で、例えば、アイコンなどである。本例では、上段に上位階層の設備または機器に関係する業務の履歴が表示され、下段に下位階層の設備または機器に関係する業務の履歴が表示されている。
【０１５７】
また、本発明は、実施の形態に限定されるものでなく、本発明の要旨を逸脱しない範囲内で種々の改良、変更が可能である。
【０１５８】
例えば、上述の実施形態において、端末２は、スライダ表示部１９１３が選択されると、カーソル部１９１４の位置（スケール）に対応する図面情報を情報処理装置１から取得するが、図面情報の検索を実行した際に階層構造を有する複数の図面情報を情報処理装置１から予め取得しておく構成であってもよい。
【０１５９】
また、上述の実施形態において、複数の図面情報が有する階層構造は、例えば図書情報記憶部４１９が記憶している設計図又は部品表などの情報を用いて互いに関連付けることにより規定したが、他の任意の方法により規定してもよい。例えば、各設備および各機器に割当てられた機器識別情報である所定桁数の番号を用いて階層構造を規定可能である。具体的には、最上位層（ルート）の設備又は機器から下位階層に向かって、各設備および各機器に割当てられた番号を直列に付加した情報を、各設備および各機器に対応付けることにより階層構造を規定する。かかる場合、例えば図１２に示す「部品４」に対応付けられる情報は、「機場」、「施設１」、「区域」、「部屋３」、「盤３」、および「部品４」の各機器識別情報が示す番号を直列に付加した「１２３４１５２３０３１０１２」となる。このようにして、例えば機器識別情報の番号の桁数を予め定めることにより、当該情報に基づいて、対応する図面情報、階層数、およびルートから対応する図面情報までの各図面情報、すなわち対応する図面情報の上位側の各図面情報を識別可能である。
【符号の説明】
【０１６０】
１ 情報処理装置、
２ 端末、
２ａ〜２ｎ 端末、
３ ネットワーク
２０１ 制御部、
２０２ 記憶部、
２０３ 記録媒体読取装置、
２０４ 入出力インタフェース、
２０５ 通信部、
２０６ バス、
２０７ 記録媒体、
２０８ 入出力部、
３０１ タッチパネル制御ＩＣ、
３０２ タッチパネル、
３０３ 表示制御ＩＣ、
３０４ 表示パネル、
３０５ マイク、
３０６ スピーカ、
３０７ カメラ、
３０８ センサ、
４０１ 管理部、
４０２ 機器管理部、
４０３ 認証部、
４０４ 機器識別情報管理部、
４０５ 機器識別情報記憶部、
４０６ アクセス制御部、
４０７ 端末認証部、
４０８ 利用者認証部、
４０９ コンテンツ部、
４１０ 統合ツール、
４１１ 業務ツール、
４１２ 識別ツール、
４１３ 帳票作成ツール、
４１４ 機器情報ツール、
４１５ 電子書庫ツール、
４１６ 監視ツール、
４１７ ストレージ部、
４１８ メディア情報記憶部、
４１９ 図書情報記憶部、
４２０ 報告書記憶部、
４２１ 登録部、
４２２ 機器情報登録部、
４２３ 機器関連情報記憶部、
４２４ 階層情報記憶部、
４２５ モノ情報記憶部、
４２６ コト情報記憶部、
６０１ 第１の画面、
６０２ 第１の登録表示部、
６０３ 第２の登録表示部、
６０４ 機器情報選択表示部、
６０５ 画像表示部、
６０６ 位置検索表示部、
９０１ 第１の登録画面、
９０２ 識別情報表示部、
９０３ 入力部、
９０４ 階層数入力部、
９０５ 指定図識別情報表示部、
９０６ 指定図表示部
９０７、９０８ 指定位置表示部、
１３０１ 階層数情報、
１３０２ スライダ情報、
１６０１ 第２の登録画面、
１６０２ 識別情報表示部、
１６０３ 設備機器表示部、
１６０４ 作業担当表示部、
１６０５、１６０６、１６０７、１６０８ 業務選択表示部、
１６０９ 書類表示部、
１６１０ 関連書類表示部、
１６１１ コメント入力部、
１６１２ 完了選択表示部、
１９０１ 機器情報表示画面、
１９０２ 取扱説明表示部、
１９０３ 設備機器表示部、
１９０４、２５０１ 閲覧表示部、
１９０５ 機器画像表示部、
１９０６ 報告情報表示部、
１９０７ 稼動状況表示部、
１９０８ 在庫表示部、
１９０９ 閲覧画像表示部、
１９１０ 計測情報表示部、
１９１１ 連絡情報表示部、
１９１２ 関連機器表示部、
１９１３ スライダ表示部、
１９１４、２４０１ カーソル部、
２２０４ カーソル、
２５０２ 期間表示部、
２５０３ａ、２５０３ｂ 日時表示部、
２５０５ａ、２５０５ｂ 矢印表示部、
２５０４ つまみ部、
２５０６ 履歴表示部、
【図１】
2014167794.tif 000003
【図２】
2014167794.tif 000004
【図３】
2014167794.tif 000005
【図４】
2014167794.tif 000006
【図５】
2014167794.tif 000007
【図６】
2014167794.tif 000008
【図７】
2014167794.tif 000009
【図８】
2014167794.tif 000010
【図９】
2014167794.tif 000011
【図１０】
2014167794.tif 000012
【図１１】
2014167794.tif 000013
【図１２】
2014167794.tif 000014
【図１３】
2014167794.tif 000015
【図１４】
2014167794.tif 000016
【図１５】
2014167794.tif 000017
【図１６】
2014167794.tif 000018
【図１７】
2014167794.tif 000019
【図１８】
2014167794.tif 000020
【図１９】
2014167794.tif 000021
【図２０】
2014167794.tif 000022
【図２１】
2014167794.tif 000023
【図２５】
2014167794.tif 000024
【図２２】
2014167794.tif 000025
【図２３】
2014167794.tif 000026
【図２４】
2014167794.tif 000027